(57)【要約】【課題】フェーズＢを実行しなくても、誤った送信相手先のファクシミリ装置で画像が形成されてしまうおそれを低減することができるファクシミリ装置、及びファクシミリ通信システムを提供する。【解決手段】送信しようとする画像データに、他のファクシミリ装置を識別する送信先識別情報を付加した画像信号ＤＡＴＡを生成する画像信号生成部１１１と、画像信号ＤＡＴＡを、他のファクシミリ装置へ送信する送信制御部１１２と、他のファクシミリ装置から送信された画像信号ＤＡＴＡから送信先識別情報を取得する識別情報取得部１１４と、送信先識別情報と自機の識別情報とが一致する場合、画像形成部４０によって、画像信号ＤＡＴＡに基づき画像を形成させる受信制御部１１５とを備えた。【選択図】図１
2009212955.tif 000002
【特許請求の範囲】
【請求項１】
他のファクシミリ装置と通信を行う通信部と、
送信しようとする画像データに、前記他のファクシミリ装置を識別する送信先識別情報を付加した画像信号を生成する画像信号生成部と、
前記画像信号生成部によって生成された画像信号を、前記通信部によって、前記他のファクシミリ装置へ送信させる画像送信処理を行う送信制御部と、
画像を形成する画像形成部と、
自機を識別するための自機識別情報を記憶する記憶部と、
他のファクシミリ装置から送信された画像信号が、前記通信部によって受信された場合、当該受信された画像信号から前記送信先識別情報を取得する識別情報取得部と、
前記識別情報取得部によって取得された送信先識別情報と前記記憶部に記憶されている自機識別情報とが一致する場合、前記画像形成部によって、前記通信部で受信された画像信号に基づき画像を形成させる受信制御部と
を備えることを特徴とするファクシミリ装置。
【請求項２】
他のファクシミリ装置と通信を行う通信部と、
送信しようとする画像データに、前記他のファクシミリ装置を識別する送信先識別情報を付加した画像信号を生成する画像信号生成部と、
前記画像信号生成部によって生成された画像信号を、前記通信部によって、前記他のファクシミリ装置へ送信させる画像送信処理を行う送信制御部と
を備えることを特徴とするファクシミリ装置。
【請求項３】
他のファクシミリ装置と通信を行う通信部と、
画像を形成する画像形成部と、
自機を識別するための自機識別情報を記憶する記憶部と、
他のファクシミリ装置から送信された画像信号が前記通信部によって受信された場合、当該受信された画像信号から当該画像信号の宛先を示す送信先識別情報を取得する識別情報取得部と、
前記識別情報取得部によって取得された送信先識別情報と前記記憶部に記憶されている自機識別情報とが一致する場合、前記画像形成部によって、前記通信部で受信された画像信号に基づき画像を形成させる受信制御部と
を備えることを特徴とするファクシミリ装置。
【請求項４】
前記画像信号生成部は、
前記他のファクシミリ装置において前記画像信号に含まれる送信先識別情報と当該他のファクシミリ装置を識別する自機識別情報との一致確認を行うか否かを設定する制限要求情報を、前記画像データにさらに付加して前記画像信号を生成すること
を特徴とする請求項１又は２に記載のファクシミリ装置。
【請求項５】
他のファクシミリ装置から送信された画像信号が前記通信部によって受信された場合、当該受信された画像信号に含まれる送信先識別情報と前記記憶部に記憶されている自機識別情報との一致確認を行うか否かを設定する制限要求情報を取得する制限要求情報取得部をさらに備え、
前記受信制御部は、
前記制限要求情報取得部によって取得された制限要求情報が前記一致確認を行う旨を示し、かつ前記識別情報取得部によって取得された送信先識別情報と前記記憶部に記憶されている自機識別情報とが一致する場合、前記画像形成部によって、前記通信部で受信された画像信号に基づき画像を形成させること
を特徴とする請求項１又は３に記載のファクシミリ装置。
【請求項６】
前記送信制御部は、
ＩＴＵ−Ｔで規定されたフェーズＢを実行することなくフェーズＣにおいて、前記画像信号を前記通信部によって送信させること
を特徴とする請求項１、２、及び４のいずれか１項に記載のファクシミリ装置。
【請求項７】
前記送信制御部は、
前記フェーズＣの実行前に、前記フェーズＢを実行せずに前記フェーズＣを実行する通信手順である短縮プロトコルの実行を要求する短縮プロトコル要求信号を、前記通信部によって送信させること
を特徴とする請求項６記載のファクシミリ装置。
【請求項８】
前記受信制御部は、
ＩＴＵ−Ｔで規定されたフェーズＢを実行せずにフェーズＣを実行する通信手順である短縮プロトコルの実行を要求する短縮プロトコル要求信号が前記通信部によって受信された場合、前記短縮プロトコルによる通信手順を実行する旨を示す短縮プロトコル応答信号を、当該短縮プロトコル要求信号の送信元へ前記通信部によって送信させること
を特徴とする請求項１、３、及び５のいずれか１項に記載のファクシミリ装置。
【請求項９】
前記送信制御部は、
ＩＴＵ−Ｔで規定されたフェーズＢを実行せずにフェーズＣを実行する通信手順である短縮プロトコルによる通信手順を実行する旨を示す短縮プロトコル応答信号が前記通信部によって受信された場合に、前記フェーズＢを実行せずに前記画像送信処理をおこなうこと
を特徴とする請求項６又は７記載のファクシミリ装置。
【請求項１０】
前記受信制御部は、
ＩＴＵ−Ｔで規定されたフェーズＡの終了後、予め設定された時間内に前記短縮プロトコル要求信号が前記通信部によって受信されない場合、前記フェーズＢのＤＩＳ信号を前記通信部によって送信させること
を特徴とする請求項８記載のファクシミリ装置。
【請求項１１】
前記送信制御部は、
前記フェーズＢのＤＩＳ信号が前記通信部によって受信された場合、当該フェーズＢの通信手順を実行し、
前記画像信号生成部は、
前記通信部によって前記ＤＩＳ信号が受信された場合、前記画像データに前記送信先識別情報を付加することなく画像信号を生成すること
を特徴とする請求項９記載のファクシミリ装置。
【請求項１２】
請求項２記載のファクシミリ装置と、請求項３記載のファクシミリ装置とが通信回線を介して接続されたこと
を特徴とするファクシミリ通信システム。
【発明の詳細な説明】
【技術分野】
【０００１】
本発明は、ファクシミリ装置、及びファクシミリ通信システムに関する。
【背景技術】
【０００２】
電話回線などの一般公衆回線を介して他のファクシミリ装置との間でファクシミリ通信を実行するファクシミリ装置では、他のファクシミリ装置との間で、ファクシミリ通信を進行させるための進行内容を示す信号（例えば、後述するＣＮＧ、ＭＰＳ、ＭＣＦ、ＥＯＰ、ＤＣＮなど）を送受信することによりファクシミリ通信が実行される。
【０００３】
このファクシミリ通信の実行手順は、ＩＴＵ−Ｔ（International Telecommunication Union-Telecommunication Standardization Sector）勧告により標準化されたフェーズＡ〜フェーズＥの５つに分けられた各フェーズによって構成されている。ここで、図５を用いて、フェーズＡ〜フェーズＣについて説明する。図５は、ファクシミリ装置Ｘからファクシミリ装置Ｙに画像データを送信する場合のファクシミリ通信手順を示している。
【０００４】
まず、フェーズＡでは、呼設定を行うため、ファクシミリ装置Ｘが送信可能状態になったことを示すＣＮＧ信号が、ファクシミリ装置Ｘからファクシミリ装置Ｙへ送信される。そして、ＣＮＧ信号を受信したファクシミリ装置Ｙは、ＣＮＧ信号に応答して、ファクシミリ装置Ｙが受信可能になったことを示すＣＥＤ信号をファクシミリ装置Ｘに送信する。
【０００５】
次に、フェーズＢでは、通信の初期設定を行うため、ファクシミリ装置Ｙの電話番号その他、ファクシミリ装置Ｙに関する情報（例えば、モデムの種類、用紙幅、解像度など）を示すＤＩＳ信号が、ファクシミリ装置Ｙからファクシミリ装置Ｘに送信される。
【０００６】
そして、ＤＩＳ信号を受信したファクシミリ装置Ｘは、ＤＩＳ信号に応答して、どのような送信条件（例えば、モデムスピード、用紙幅、解像度など）で通信を開始するかを示すＤＣＳ信号と、モデムトレーニングチェック用のＴＣＦ信号とを、ファクシミリ装置Ｙに送信する。
【０００７】
ＴＣＦ信号を受信したファクシミリ装置Ｙは、ＤＣＳ信号に基づく送信条件でモデムトレーニングを実行した後、モデムトレーニングが成功したことを示すＣＦＲ信号をファクシミリ装置Ｘに送信する。なお、モデムトレーニングが失敗した場合にはその旨を示すＦＴＴ信号が送信される。
【０００８】
次に、フェーズＣでは、フェーズＢで設定された送信条件に基づいて、ファクシミリ装置Ｘからファクシミリ装置Ｙへ、１ページ目の画像データ（メッセージ）が送信される。
【０００９】
ところでファクシミリの送信先は、電話番号によって指定されるが、ノイズや電話交換機の誤動作その他何らかの理由により、ファクシミリを送信しようとした相手先とは異なるファクシミリ装置と電話回線が接続されてしまう場合がある。このような場合に誤った相手先にファクシミリが送信されてしまうのは不都合である。
【００１０】
そこで、送信元のファクシミリ装置Ｘが、フェーズＢにおいて相手先のファクシミリ装置から送信されたＤＩＳ信号によって相手先のファクシミリ装置の電話番号を確認し、電話番号が誤っている場合には、画像データの送信を行わないようにする送信制限機能を備えたファクシミリ装置が知られている（例えば、特許文献１参照。）。
【特許文献１】特開平８−３０７６２６号公報
【発明の開示】
【発明が解決しようとする課題】
【００１１】
ところで、フェーズＢで用いられる通信信号は、フェーズＣで画像データの送信に用いられる通信信号より低速である。さらに、ＤＩＳ信号には、種々のデータが含まれているためデータ量が増大し、ＤＩＳの送信に時間がかかる。そのため、フェーズＢの処理には、１秒〜数秒程度の時間がかかってしまう。そこで、フェーズＢの実行を省略してファクシミリ送信の実行時間を短縮することが考えられる。
【００１２】
しかしながら、フェーズＢを実行しないと、ＤＩＳ信号によって相手先のファクシミリ装置の電話番号を確認することができないため、上述の送信制限機能を実現することができないという、不都合があった。
【００１３】
本発明は、このような事情に鑑みて為された発明であり、フェーズＢを実行しなくても、誤った送信相手先のファクシミリ装置で画像が形成されてしまうおそれを低減することができるファクシミリ装置、及びファクシミリ通信システムを提供することを目的とする。
【課題を解決するための手段】
【００１４】
本発明に係るファクシミリ装置は、他のファクシミリ装置と通信を行う通信部と、送信しようとする画像データに、前記他のファクシミリ装置を識別する送信先識別情報を付加した画像信号を生成する画像信号生成部と、前記画像信号生成部によって生成された画像信号を、前記通信部によって、前記他のファクシミリ装置へ送信させる画像送信処理を行う送信制御部と、画像を形成する画像形成部と、自機を識別するための自機識別情報を記憶する記憶部と、他のファクシミリ装置から送信された画像信号が、前記通信部によって受信された場合、当該受信された画像信号から前記送信先識別情報を取得する識別情報取得部と、前記識別情報取得部によって取得された送信先識別情報と前記記憶部に記憶されている自機識別情報とが一致する場合、前記画像形成部によって、前記通信部で受信された画像信号に基づき画像を形成させる受信制御部とを備える。
【００１５】
この構成によれば、画像信号生成部によって、送信しようとする画像データに送信先識別情報が付加されて画像信号が生成される。また、送信制御部によって、この画像信号が他のファクシミリ装置へ送信される。そして、この画像信号を受信した受信側のファクシミリ装置では、識別情報取得部によって画像信号から送信先識別情報が取得される。さらに、送信先識別情報と受信側のファクシミリ装置の自機識別情報とが一致する場合、受信制御部の指示に応じて画像形成部によって、通信部で受信された画像信号に基づき画像が形成される。この場合、送信側のファクシミリ装置は、受信側のファクシミリ装置の識別情報をフェーズＢで取得しなくても、送信側のファクシミリ装置が送信しようとしている相手先の送信先識別情報を画像データに付加して画像信号として送信し、受信したファクシミリ装置側で、当該画像信号に含まれる送信先識別情報と自機の識別情報とが一致するかどうかを確認し、一致した場合に画像形成がおこなわれるので、フェーズＢを実行しなくても、誤った送信相手先のファクシミリ装置で画像が形成されてしまうおそれを低減することができる。これにより、フェーズＢの実行を省略してファクシミリ送信の実行時間を短縮しつつ、誤った送信相手先のファクシミリ装置で画像が形成されてしまうおそれを低減することが可能となる。
【００１６】
また、本発明に係るファクシミリ装置は、他のファクシミリ装置と通信を行う通信部と、送信しようとする画像データに、前記他のファクシミリ装置を識別する送信先識別情報を付加した画像信号を生成する画像信号生成部と、前記画像信号生成部によって生成された画像信号を、前記通信部によって、前記他のファクシミリ装置へ送信させる画像送信処理を行う送信制御部とを備える。
【００１７】
この構成によれば、画像信号生成部によって、送信しようとする画像データに送信先識別情報が付加されて画像信号が生成される。また、送信制御部によって、この画像信号が他のファクシミリ装置へ送信される。そうすると、送信側のファクシミリ装置が送信しようとしている相手先を示す送信先識別情報が画像信号に含まれて送信されるので、この画像信号を受信したファクシミリ装置側で、この送信先識別情報が自機の識別情報と一致するか否かを確認することで、着信誤りを検出することが可能となる。これにより、フェーズＢの実行を省略してファクシミリ送信の実行時間を短縮しつつ、誤った送信相手先のファクシミリ装置で画像が形成されてしまうおそれを低減することが可能となる。
【００１８】
また、本発明に係るファクシミリ装置は、他のファクシミリ装置と通信を行う通信部と、画像を形成する画像形成部と、自機を識別するための自機識別情報を記憶する記憶部と、他のファクシミリ装置から送信された画像信号が前記通信部によって受信された場合、当該受信された画像信号から当該画像信号の宛先を示す送信先識別情報を取得する識別情報取得部と、前記識別情報取得部によって取得された送信先識別情報と前記記憶部に記憶されている自機識別情報とが一致する場合、前記画像形成部によって、前記通信部で受信された画像信号に基づき画像を形成させる受信制御部とを備える。
【００１９】
この構成によれば、送信先識別情報が含まれる画像信号を受信したファクシミリ装置では、識別情報取得部によって画像信号から送信先識別情報が取得される。そして、送信先識別情報と自機識別情報とが一致する場合、受信制御部の指示に応じて画像形成部によって、通信部で受信された画像信号に基づき画像が形成される。この場合、送信先識別情報が含まれる画像信号を受信したファクシミリ装置側で、この送信先識別情報が自機の識別情報と一致するか否かが確認され、一致した場合に画像形成がおこなわれるので、フェーズＢを実行しなくても、誤った送信相手先のファクシミリ装置で画像が形成されてしまうおそれを低減することができる。
【００２０】
また、前記画像信号生成部は、前記他のファクシミリ装置において前記画像信号に含まれる送信先識別情報と当該他のファクシミリ装置を識別する自機識別情報との一致確認を行うか否かを設定する制限要求情報を、前記画像データにさらに付加して前記画像信号を生成することが好ましい。
【００２１】
この構成によれば、送信側のファクシミリ装置が、受信側のファクシミリ装置に対して、画像信号に含まれる送信先識別情報と当該受信側のファクシミリ装置を識別する自機識別情報との一致確認を行うか否かを指示することが可能となる。
【００２２】
また、他のファクシミリ装置から送信された画像信号が前記通信部によって受信された場合、当該受信された画像信号に含まれる送信先識別情報と前記記憶部に記憶されている自機識別情報との一致確認を行うか否かを設定する制限要求情報を取得する制限要求情報取得部をさらに備え、前記受信制御部は、前記制限要求情報取得部によって取得された制限要求情報が前記一致確認を行う旨を示し、かつ前記識別情報取得部によって取得された送信先識別情報と前記記憶部に記憶されている自機識別情報とが一致する場合、前記画像形成部によって、前記通信部で受信された画像信号に基づき画像を形成させることが好ましい。
【００２３】
この構成によれば、制限要求情報が含まれる画像信号を受信したファクシミリ装置では、制限要求情報が前記一致確認を行う旨を示し、かつ送信先識別情報と自機識別情報とが一致する場合に、画像信号に基づく画像形成が行われるので、送信側のファクシミリ装置が、制限要求情報を用いて、受信側のファクシミリ装置によって画像信号に含まれる送信先識別情報と当該受信側のファクシミリ装置を識別する自機識別情報との一致確認を行うか否かを指示することが可能となる。
【００２４】
また、前記送信制御部は、ＩＴＵ−Ｔで規定されたフェーズＢを実行することなくフェーズＣにおいて、前記画像信号を前記通信部によって送信させることが好ましい。
【００２５】
この構成によれば、フェーズＢの実行を省略してファクシミリ送信の実行時間を短縮することができる。
【００２６】
また、前記送信制御部は、前記フェーズＣの実行前に、前記フェーズＢを実行せずに前記フェーズＣを実行する通信手順である短縮プロトコルの実行を要求する短縮プロトコル要求信号を、前記通信部によって送信させることが好ましい。
【００２７】
この構成によれば、送信側のファクシミリ装置は、ファクシミリ送信の実行時間を短縮したいときは、短縮プロトコル要求信号を送信してフェーズＢの実行を省略することでファクシミリ送信の実行時間を短縮することが可能であると共に、フェーズＢの処理を実行したいときは、フェーズＢを省略することなく実行することが可能となる。
【００２８】
また、前記受信制御部は、ＩＴＵ−Ｔで規定されたフェーズＢを実行せずにフェーズＣを実行する通信手順である短縮プロトコルの実行を要求する短縮プロトコル要求信号が前記通信部によって受信された場合、前記短縮プロトコルによる通信手順を実行する旨を示す短縮プロトコル応答信号を、当該短縮プロトコル要求信号の送信元へ前記通信部によって送信させることが好ましい。
【００２９】
この構成によれば、送信側のファクシミリ装置が短縮プロトコル要求信号を送信した場合、受信側のファクシミリ装置が短縮プロトコルを実行可能であれば、短縮プロトコル応答信号が送信側のファクシミリ装置へ送信されるので、送信側のファクシミリ装置で、受信側のファクシミリ装置が短縮プロトコルを実行可能か否かを確認することが可能になる。これにより、送信側のファクシミリ装置は、受信側のファクシミリ装置が短縮プロトコルを実行できない場合には、フェーズＢを実行することにより、短縮プロトコルをサポートしないファクシミリ装置との間でＩＴＵ−Ｔで規定された通常の通信手順に従ってファクシミリ通信を行うことが可能となる。
【００３０】
また、前記送信制御部は、ＩＴＵ−Ｔで規定されたフェーズＢを実行せずにフェーズＣを実行する通信手順である短縮プロトコルによる通信手順を実行する旨を示す短縮プロトコル応答信号が前記通信部によって受信された場合に、前記フェーズＢを実行せずに前記画像送信処理をおこなうことが好ましい。
【００３１】
この構成によれば、送信側のファクシミリ装置は、受信側のファクシミリ装置から短縮プロトコル応答信号が送信された場合にフェーズＢを実行せずに画像送信処理をおこなうので、受信側のファクシミリ装置から短縮プロトコル応答信号が送信されず、従って受信側のファクシミリ装置が短縮プロトコルをサポートしていないと考えられる場合には、ＩＴＵ−Ｔで規定された通常の通信手順に従ってファクシミリ通信を行うことが可能となる。
【００３２】
また、前記受信制御部は、ＩＴＵ−Ｔで規定されたフェーズＡの終了後、予め設定された時間内に前記短縮プロトコル要求信号が前記通信部によって受信されない場合、前記フェーズＢのＤＩＳ信号を前記通信部によって送信させることが好ましい。
【００３３】
この構成によれば、送信側のファクシミリ装置が短縮プロトコルをサポートしていないためにフェーズＡの終了後予め設定された時間内に短縮プロトコル要求信号を送信しない場合、受信側のファクシミリ装置から、フェーズＢのＤＩＳ信号が送信されてＩＴＵ−Ｔで規定された通常の通信手順が実行されるので、短縮プロトコルをサポートしていない送信側のファクシミリ装置との間でファクシミリ通信を行うことが可能となる。
【００３４】
また、前記送信制御部は、前記フェーズＢのＤＩＳ信号が前記通信部によって受信された場合、当該フェーズＢの通信手順を実行し、前記画像信号生成部は、前記通信部によって前記ＤＩＳ信号が受信された場合、前記画像データに前記送信先識別情報を付加することなく画像信号を生成することが好ましい。
【００３５】
この構成によれば、送信側のファクシミリ装置において、フェーズＢのＤＩＳ信号が受信された場合、受信側のファクシミリ装置は、ＩＴＵ−Ｔで規定された通常の通信手順を実行するファクシミリ装置であると考えられるので、画像データに送信先識別情報を付加することなく画像信号を生成することで、受信側のファクシミリ装置に正常に画像データを受信させることが可能となる。
【００３６】
また、本発明に係るファクシミリ通信システムは、上述のファクシミリ装置と上述のファクシミリ装置とが通信回線を介して接続されている。
【００３７】
この構成によれば、送信側のファクシミリ装置は、受信側のファクシミリ装置の識別情報をフェーズＢで取得しなくても、送信側のファクシミリ装置が送信しようとしている相手先の送信先識別情報を画像データに付加して画像信号として送信し、受信したファクシミリ装置側で、当該画像信号に含まれる送信先識別情報と自機の識別情報とが一致するかどうかを確認し、一致した場合に画像形成が実行されるので、フェーズＢを実行しなくても、誤った送信相手先のファクシミリ装置で画像が形成されてしまうおそれを低減することができる。これにより、フェーズＢの実行を省略してファクシミリ送信の実行時間を短縮しつつ、誤った送信相手先のファクシミリ装置で画像が形成されてしまうおそれを低減することが可能となる。
【発明の効果】
【００３８】
このような構成のファクシミリ装置及びファクシミリ通信システムは、フェーズＢの実行を省略してファクシミリ送信の実行時間を短縮しつつ、誤った送信相手先のファクシミリ装置で画像が形成されてしまうおそれを低減することが可能となる。
【発明を実施するための最良の形態】
【００３９】
以下、本発明に係る実施形態を図面に基づいて説明する。なお、各図において同一の符号を付した構成は、同一の構成であることを示し、その説明を省略する。図１は、本発明の一実施形態に係るファクシミリ装置の一例である複合機の内部構成を概略的に示す側面図である。図２は、図１に示す複合機１の電気的構成の一例を示すブロック図である。
【００４０】
複合機１は、コピー機能、プリンタ機能、及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６と、本体部２の内部に配設された制御部１００とを有している。
【００４１】
複合機１のフロント部には、略長方形の操作パネル部４７が設けられている。操作パネル部４７は、表示部４７３と、操作キー部４７６とを備えている。表示部４７３は、例えばタッチパネル機能を有する液晶ディスプレイ等によって構成されている。操作キー部４７６は、例えばユーザが印刷実行指示を入力するためのスタートキーや、印刷部数等を入力するためのテンキー等の各種キースイッチを備えている。
【００４２】
原稿読取部５は、ＣＣＤ（Charge Coupled Device）５１２及び露光ランプ５１１等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００４３】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３とを備える。
【００４４】
本体部２は、複数の給紙カセット４６１と、給紙カセット４６１から用紙を１枚ずつ繰り出して画像形成部４０へ搬送する給紙ローラ４６２と、給紙カセット４６１から搬出されてきた用紙に画像を形成する画像形成部４０と、装置全体の動作制御を司る制御部１００とを備える。
【００４５】
画像形成部４０は、用紙搬送部４１１、像形成部４１２、及び定着部４５を備えている。像形成部４１２は、制御部１００から出力された画像データに基づきレーザ光等を出力して感光体ドラム４３を露光する光学ユニット４２と、感光体ドラム４３と、感光体ドラム４３上にトナー像を形成する現像部４４と、感光体ドラム４３上のトナー像を用紙に転写する転写部４１とを備えている。
【００４６】
定着部４５は、トナー像が転写された用紙を加熱してトナー像を用紙に定着させる。用紙搬送部４１１は、画像形成部４０内の用紙搬送路中に設けられ、用紙をスタックトレイ３又は排出トレイ４８まで搬送する搬送ローラ４６３，４６４等を備える。
【００４７】
制御部１００は、装置全体の動作制御を司るもので、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成されている。制御部１００には、原稿読取部５、画像形成部４０、操作パネル部４７、ファクシミリ通信部１７０、ネットワークＩ／Ｆ部２１０、画像メモリ１４０、及びＨＤＤ（Hard Disk Drive）１５０が接続されている。
【００４８】
そして、制御部１００は、ＲＯＭやＨＤＤ１５０等に記憶された制御プログラムを実行することにより、ファクシミリコントローラ１０１、プリンタコントローラ１０２、及びコピーコントローラ１０３として機能する。ファクシミリコントローラ１０１は、画像信号生成部１１１、送信制御部１１２、制限要求情報取得部１１３、識別情報取得部１１４、及び受信制御部１１５を含む。
【００４９】
ファクシミリ通信部１７０（通信部）は、データ送受信相手である相手先ファクシミリとの電話回線の接続を制御するＮＣＵ（Network Control Unit）を備えている。また、ファクシミリ通信部１７０は、ファクシミリ通信用の信号を変復調する変復調回路を備えている。ファクシミリ通信部１７０は、公衆電話回線等の通信回線１７１に接続されている。
【００５０】
ネットワークＩ／Ｆ部２１０は、ＬＡＮ（Local Area Network）やＷＡＮ（Wide Area Network）等のネットワークを介して、これらネットワークに接続されたパーソナルコンピュータ等の端末装置との間で通信を行う通信インターフェイス回路である。
【００５１】
ファクシミリコントローラ１０１は、ファクシミリ動作に必要な各部の動作制御を行うものである。ファクシミリコントローラ１０１は、ファクシミリ通信部１７０を用いて通信回線１７１に接続された他のファクシミリ装置との間でデータ送受信を行う。そして、ファクシミリコントローラ１０１は、例えば原稿読取部５で読み取られた原稿画像を、ファクシミリ通信部１７０によって、他のファクシミリ装置へ送信したり、ファクシミリ通信部１７０によって他のファクシミリ装置から受信された画像信号に基づき、画像形成部４０によって用紙に画像形成させたりする。
【００５２】
なお、画像形成部は、必ずしも画像形成部４０のように、用紙に画像を形成するものに限られず、ファクシミリ通信部１７０によって受信された画像信号から、例えばＪＰＥＧ（Joint Photographic Expert Group）やＰＤＦ（Portable Document Format）等、汎用に用いられるフォーマットの画像ファイルを生成することで、電子データで表された画像を形成するものであってもよい。
【００５３】
ＨＤＤ１５０（記憶部）には、自機を識別するための識別情報として、例えば自機の電話番号が予め記憶されている。なお、自機の電話番号は、ＨＤＤ１５０に記憶される例に限られず、例えばＥＥＰＲＯＭ（Electrically Erasable and Programmable Read Only Memory）などの不揮発性の記憶素子に記憶されていてもよい。
【００５４】
また、ＨＤＤ１５０には、例えば原稿読取部５によって原稿から読み取られた画像データや、ネットワークＩ／Ｆ部２１０によって、ネットワークに接続された端末装置から受信された画像データが記憶される。また、ファクシミリ機能によって、他のファクシミリ装置に送信しようとする画像データも、ＨＤＤ１５０に一旦記憶されるようになっている。
【００５５】
プリンタコントローラ１０２は、プリンタ動作に必要な各部の動作制御を行うものである。コピーコントローラ１０３は、コピー動作に必要な各部の動作制御を行うものである。
【００５６】
図３は、本発明の一実施形態に係るファクシミリ通信システム１０の構成の一例を示すブロック図である。図３に示すファクシミリ通信システム１０は、２台の複合機１、すなわち複合機１−Ａと、複合機１−Ｂが、通信回線１７１を介して接続されて、構成されている。
【００５７】
次に、上述のように構成された複合機１、及びファクシミリ通信システム１０の動作について説明する。図４は、図３に示すファクシミリ通信システム１０の動作の一例を説明するための説明図である。図４では、複合機１−Ａから複合機１−Ｂへ、画像信号を送信する場合の例を示している。
【００５８】
まず、複合機１−Ａの送信制御部１１２によって、ＩＴＵ−ＴのフェーズＡの処理が開始され、複合機１−Ａが送信可能状態になったことを示すＣＮＧ信号が、ファクシミリコントローラ１０１からの制御信号に応じてファクシミリ通信部１７０によって、複合機１−Ｂへ送信される（ステップＳ１）。
【００５９】
そして、複合機１−Ｂのファクシミリ通信部１７０によって、ＣＮＧ信号が受信される。複合機１−Ｂの受信制御部１１５は、ファクシミリ通信部１７０で受信されたＣＮＧ信号に応答して、複合機１−Ｂが受信可能になったことを示すＣＥＤ信号を複合機１−Ｂのファクシミリ通信部１７０から複合機１−Ａへ送信させる（ステップＳ２）。以上でフェーズＡの処理を終了する。
【００６０】
次に、複合機１−Ａの送信制御部１１２は、フェーズＣの実行前に、フェーズＢを実行せずにフェーズＣを実行する通信手順である短縮プロトコルの実行を要求する短縮プロトコル要求信号ＳＰＲＱを、ファクシミリ通信部１７０によって複合機１−Ｂへ送信させる（ステップＳ３）。
【００６１】
そして、複合機１−Ｂのファクシミリ通信部１７０によって、短縮プロトコル要求信号ＳＰＲＱが受信される。複合機１−Ｂの受信制御部１１５は、ファクシミリ通信部１７０で受信された短縮プロトコル要求信号ＳＰＲＱに応答して、複合機１−Ｂが短縮プロトコルを実行可能であることを示す短縮プロトコル応答信号ＳＰＡＣＫを複合機１−Ｂのファクシミリ通信部１７０から複合機１−Ａへ送信させる（ステップＳ４）。
【００６２】
ここで、もし仮に、画像データ送信側のファクシミリ装置が複合機１ではなく、短縮プロトコルに対応しない、一般的なファクシミリ装置であった場合、ステップＳ３において、短縮プロトコル要求信号ＳＰＲＱが送信されることはない。
【００６３】
そこで、受信側の複合機１−Ｂにおける受信制御部１１５は、フェーズＡの終了後、予め設定された時間内（例えば１秒以内）に短縮プロトコル要求信号ＳＰＲＱがファクシミリ通信部１７０によって受信されない場合、相手先のファクシミリ装置は短縮プロトコルに対応していないと判断してＩＴＵ−Ｔで規定された通常の通信プロトコルを実行するべくフェーズＢのＤＩＳ信号をファクシミリ通信部１７０によって送信させる。以後、フェーズＢ〜Ｅが実行されることで、複合機１−Ｂは、短縮プロトコルに対応していないファクシミリ装置からのファクシミリ送信を受信することができる。
【００６４】
次に、ステップＳ４において、複合機１−Ａのファクシミリ通信部１７０によって、短縮プロトコル応答信号ＳＰＡＣＫが受信されると、複合機１−Ａの送信制御部１１２は、複合機１−Ｂに短縮プロトコルの実行開始を指示する短縮プロトコル命令信号ＳＰＣＭＤを、複合機１−Ａのファクシミリ通信部１７０から複合機１−Ｂへ送信させ、フェーズＢを実行することなくフェーズＣへ移行する（ステップＳ５）。
【００６５】
フェーズＣへ移行すると、複合機１−Ａの画像信号生成部１１１は、複合機１−Ｂに送信しようとする画像データをＨＤＤ１５０から読み出す。そして、複合機１−Ａの画像信号生成部１１１は、制限要求情報と送信相手先の電話番号（送信先識別情報）とをＨＤＤ１５０から読み出された画像データに付加して画像信号ＤＡＴＡを生成する。
【００６６】
制限要求情報は、相手先の複合機１−Ｂにおいて、画像信号に含まれる電話番号と複合機１−Ｂの電話番号との一致確認を行うか否かを設定する情報である。
【００６７】
画像信号生成部１１１が制限要求情報と送信相手先の電話番号とを画像データに付加する方法は、限定されない。画像信号生成部１１１は、例えば画像データの先頭や最後等、所定の位置に制限要求情報と送信相手先の電話番号とを連結してもよい。画像信号生成部１１１は、例えば画像信号ＤＡＴＡを複数の通信パケットに分割して生成し、その複数の通信パケットの一部を制限要求情報、及び送信相手先の電話番号を含むパケットとして生成してもよい。
【００６８】
ここで、もし仮に、複合機１−Ａと接続されたファクシミリ装置が複合機１ではなく、短縮プロトコルに対応しない一般的なファクシミリ装置であった場合、このようなファクシミリ装置は、ステップＳ３において、短縮プロトコル要求信号ＳＰＲＱを受信しても、短縮プロトコル応答信号ＳＰＡＣＫを送信することなくフェーズＢのＤＩＳ信号を送信する。
【００６９】
そこで、送信側の複合機１−Ａにおける送信制御部１１２は、フェーズＢのＤＩＳ信号がファクシミリ通信部１７０によって受信された場合、相手先のファクシミリ装置は短縮プロトコルに対応していないと判断してＩＴＵ−Ｔで規定された通常の通信プロトコルを実行するべく、フェーズＢに移行する。このとき、画像信号生成部１１１は、制限要求情報と送信相手先の電話番号とを用いることなく、ＨＤＤ１５０から読み出された画像データのみから画像信号ＤＡＴＡを生成する。
【００７０】
これにより、受信側のファクシミリ装置が複合機１ではなく、短縮プロトコルに対応していないファクシミリ装置であっても、複合機１−Ａは、以後、フェーズＢ〜Ｅを実行することで、正常にファクシミリ送信を行うことができる。
【００７１】
ステップＳ５において、フェーズＢを実行することなくフェーズＣへ移行した場合、次に、複合機１−Ａの送信制御部１１２は、画像信号生成部１１１によって生成された画像信号ＤＡＴＡをファクシミリ通信部１７０によって複合機１−Ｂへ送信させる（ステップＳ６）。
【００７２】
そして、複合機１−Ｂのファクシミリ通信部１７０によって、画像信号ＤＡＴＡが受信される。複合機１−Ｂの制限要求情報取得部１１３は、ファクシミリ通信部１７０で受信された画像信号ＤＡＴＡに含まれる制限要求情報を取得する。また、複合機１−Ｂの識別情報取得部１１４は、ファクシミリ通信部１７０で受信された画像信号ＤＡＴＡに含まれる送信先の電話番号を取得する。
【００７３】
さらに、複合機１−Ｂの受信制御部１１５は、制限要求情報取得部１１３で取得された制限要求情報が、複合機１−Ｂにおいて画像信号ＤＡＴＡに含まれる電話番号と複合機１−Ｂの電話番号との一致確認を行う旨の設定を示す場合、識別情報取得部１１４により取得された電話番号と、ＨＤＤ１５０に記憶されている自機の電話番号とを比較する。そして、受信制御部１１５は、各電話番号が互いに一致する場合にのみ、画像信号ＤＡＴＡに含まれる画像データを画像形成部４０へ送信し、画像形成部４０によって、当該画像データに基づき用紙に画像を形成させると共に、フェーズＤへ移行する。
【００７４】
また、受信制御部１１５は、比較した各電話番号が互いに一致しなかった場合、画像形成を行うことなくフェーズＤへ移行する。
【００７５】
この場合、誤った送信相手先のファクシミリ装置で画像が形成されてしまうことを防ぎたい場合には、複合機１−Ａにおいて、制限要求情報を、画像信号ＤＡＴＡに含まれる電話番号と複合機１−Ｂの電話番号との一致確認を行う設定にしておくことにより、フェーズＢを実行しなくても、画像信号ＤＡＴＡを受信した複合機１−Ｂにおいて電話番号の一致確認を行わせることで、誤った送信相手先のファクシミリ装置で画像が形成されてしまうおそれを低減することができる。そして、フェーズＢの実行を省略してファクシミリ送信の実行時間を短縮することができる。
【００７６】
一方、受信制御部１１５は、制限要求情報が、画像信号ＤＡＴＡに含まれる電話番号と複合機１−Ｂの電話番号との一致確認を行わない旨の設定を示す場合、比較した各電話番号が一致するか否かにかかわらず、画像信号ＤＡＴＡに含まれる画像データを画像形成部４０へ送信し、画像形成部４０によって、当該画像データに基づき用紙に画像を形成させると共に、フェーズＤへ移行する。
【００７７】
フェーズＤでは、複合機１−Ａの送信制御部１１２は、送信ページの終わりを示すＰＰＳ−Ｑ信号をファクシミリ通信部１７０によって複合機１−Ｂへ送信させる（ステップＳ７）。そして、ＰＰＳ−Ｑ信号が、複合機１−Ｂのファクシミリ通信部１７０で受信されると、複合機１−Ｂの受信制御部１１５は、全メッセージ（全画像信号ＤＡＴＡ）が受信されたことを示すＭＣＦ信号をファクシミリ通信部１７０によって複合機１−Ａへ送信させる（ステップＳ８）。
【００７８】
ＭＣＦ信号が複合機１−Ａのファクシミリ通信部１７０で受信されると、複合機１−Ａの送信制御部１１２は、フェーズＥに移行して、回線の切断を指示するＤＣＮ信号をファクシミリ通信部１７０によって複合機１−Ｂへ送信させ（ステップＳ９）、ファクシミリ送信処理を終了する。
【図面の簡単な説明】
【００７９】
【図１】本発明の一実施形態に係るファクシミリ装置の一例である複合機の内部構成を概略的に示す側面図である。
【図２】図１に示す複合機の電気的構成の一例を示すブロック図である。
【図３】図１に示す複合機を用いたファクシミリ通信システムの構成の一例を示すブロック図である。
【図４】図３に示すファクシミリ通信システムの動作の一例を説明するための説明図である。
【図５】背景技術に係るファクシミリ通信手順を示す説明図である。
【符号の説明】
【００８０】
１    複合機
５    原稿読取部
１０  ファクシミリ通信システム
４０  画像形成部
１００      制御部
１０１      ファクシミリコントローラ
１０２      プリンタコントローラ
１０３      コピーコントローラ
１１１      画像信号生成部
１１２      送信制御部
１１３      制限要求情報取得部
１１４      識別情報取得部
１１５      受信制御部
１７０      ファクシミリ通信部
１７１      通信回線
ＤＡＴＡ    画像信号
ＳＰＡＣＫ  短縮プロトコル応答信号
ＳＰＣＭＤ  短縮プロトコル命令信号
ＳＰＲＱ    短縮プロトコル要求信号
【図１】
2009212955.tif 000003
【図２】
2009212955.tif 000004
【図３】
2009212955.tif 000005
【図４】
2009212955.tif 000006
【図５】
2009212955.tif 000007